(57)【要約】  【課題】  付録・試供品などを収納可能なシートと、ポストカード又はアドカードが一つになった冊子を提供すること。  【解決手段】  植物の種子（又は入浴剤）２が封入されたシート１１が綴じられており、前記シート１１を開封することによりポストカード又はアドカード６を作成できる冊子Ａを提供する。冊子Ａを構成する各シート（各ページ）には、シート１１に封入した植物の花などのイラストや写真、商品や商品イメージをデザインしたイラストや写真、環境ＰＲに関するイラストや写真、シート１１に封入した植物に関連する情報などを記載する。シート１１に付されたイラストや写真は、シート開封後（植物の種子や入浴剤などを用いた後）に、ポストカード又はアドカード６の図柄として用いることができるように配する。  【選択図】  図２
0003106885.tif 000002
【実用新案登録請求の範囲】
【請求項１】
植物の種子が封入されたシートが綴じられており、前記シートを開封することによりポストカード又はアドカードを作成できることを特徴とする冊子。
【請求項２】
植物の種子が封入されたシートが綴じられており、前記シートを開封することによりポストカード又はアドカードを作成できる構成であって、
前記ポストカード又は前記アドカードには前記植物の花のイラストや写真が配されたことを特徴とする冊子。
【請求項３】
植物の種子が封入されたシートが綴じられており、前記シートを開封することによりポストカード又はアドカードを作成できる構成であって、
前記シートには前記植物に関連する情報が記載されていることを特徴とする冊子。
【請求項４】
異なる種類の植物の種子がそれぞれ封入された複数枚のシートが綴じられており、これらのシートをそれぞれ開封すると、各植物の花のイラストや写真が配されたポストカード又はアドカードを作成できることを特徴とする冊子。
【請求項５】
入浴剤が封入されたシートが綴じられており、前記シートを開封することによりポストカード又はアドカードを作成できることを特徴とする冊子。
【請求項６】
入浴剤が封入されたシートが綴じられており、前記シートを開封することによりポストカード又はアドカードを作成できる構成であって、
前記ポストカード又は前記アドカードには商品又は環境ＰＲに関するイラストや写真が配されたことを特徴とする冊子。
【考案の詳細な説明】
【技術分野】
【０００１】
本考案は、植物の種子又は入浴剤が封入されたシートが綴じられており、前記シートを開封することによりポストカード又はアドカードを作成できる冊子に関する。
【背景技術】
【０００２】
近年、本・冊子の中に袋とじなど設け、その中に付録・試供品などを封入したものが市販されている。
【０００３】
一方、デザインに対する関心の高まりに伴い、さまざまな図柄を配したポストカードが流通している。また、近年、「アドカード」が広告媒体として普及している。「アドカード」は、無料で配布される広告用ポストカードであり、デザイン性の高い図柄と商品や店舗の広告・イベントの告知などが記載されている。
【０００４】
本考案に関連する先行文献としては、次の文献がある。特許文献１には、植物の種子をシート内に収蔵させたポストカード、絵本などが記載されている。特許文献２には、植物生育シートを書籍のページに貼り付けた本が記載されている。
【特許文献１】特開２０００−１０６７１４号公報
【特許文献２】特開２００３−３２５０５４号公報
【考案の開示】
【考案が解決しようとする課題】
【０００５】
本考案は、付録・試供品などを収納可能なシートと、ポストカード又はアドカードが一つになった冊子を提供することを、主な目的とする。
【課題を解決するための手段】
【０００６】
本考案では、まず、植物の種子が封入されたシートが綴じられており、前記シートを開封することによりポストカード又はアドカードを作成できる冊子を提供する。
【０００７】
封入された植物の種子は、開封後、播種・育成することができる。同時に、シートの所定部分で切り取って開封することにより、シートに付されていた図柄を配したポストカード又はアドカードを作成できる。
【０００８】
冊子を構成するシートには、そのシートの中に種子を封入した植物の花のイラストや写真を付してもよい。そのような構成にすることにより、その植物が成長後どのような花を咲かせるかを、購買者に提示できる。また、成長後の花の色・形態を予め提示することにより、購買意欲を惹起できる。加えて、シートに、その植物の花のイラストや写真を付すことにより、開封後のポストカード又はアドカードの図柄とすることができる。
【０００９】
また、冊子を構成するシートには、そのシートの中に種子を封入した植物に関連する情報やエピソードを記載してもよい。このような構成にすることにより、購買者は、その植物に関するさまざまな知識・情報を得ることができる。
【００１０】
その他、冊子を構成するシートには、そのシートの中に種子を封入した植物の播種・育成方法に係わる情報を記載してもよい。植物の播種・育成方法に係わる情報を記載することにより、購買者は、播種方法、育て方などに関する細かな知識・情報を得ることができる。また、植物の播種・育成方法に係わる情報を記載することにより、初心者も、気軽にその植物を育成することができる。
【００１１】
上記に加えて、本考案に係る冊子を、異なる種類の植物の種子がそれぞれ封入された複数枚のシートが綴じられており、これらのシートをそれぞれ開封すると、各植物の花のイラストや写真が配されたポストカード又はアドカードを作成できる構成にしてもよい。
【００１２】
複数の種類の異なる植物の種子をそれぞれ封入することにより、購買者は、複数種の種子を同時に取得できる。また、開封後は、各植物の花のイラストや写真を配したポストカード又はアドカードのセットとして用いることができる。
【００１３】
次に、本考案では、入浴剤が封入されたシートが綴じられており、前記シートを開封することによりポストカード又はアドカードを作成できる冊子を提供する。
【００１４】
この場合も前記と同様に、シートを開封して入浴剤を取り出すことができ、同時に、シートの所定部分で切り取って開封することにより、シートに付されていた図柄を配したポストカード又はアドカードを作成できる。
【００１５】
冊子を構成するシートには、イラストや写真など、様々な図柄を付すことができる。例えば、商品や商品イメージをデザインしたイラストや写真、環境ＰＲに関するイラストや写真、観光ＰＲに関するイラストや写真、入浴剤に係る温泉地の風景のイラストや写真、企業イメージや知名度向上を目的としたイラストや写真、などの図柄を付すことができる。シートにそれらの図柄を付すことにより、シート開封後、それらの図柄を配したポストカード又はアドカードを作成できる。
【００１６】
なお、本考案に係る冊子を、アドカードを作成できる構成にした場合、作成されたアドカードには、商品や店舗の広告、イベントなどの告知、観光ＰＲ、企業の環境ＰＲなどが記載されているようにしてもよい。また、冊子を構成するシートに商品や店舗の広告などを記載して、本考案に係る冊子をノベルティグッズや販売促進グッズとして用いてもよい。
【００１７】
本考案において、「ポストカード」は、切手を貼ることにより、郵便用カードとして活用可能なものを、「アドカード」は、無料で配布する広告用ポストカードをいう。
【考案の効果】
【００１８】
本考案に係る冊子は、冊子を構成するシートを開封することによりポストカード又はアドカードを作成できる。
【考案を実施するための最良の形態】
【００１９】
以下、本考案を実施するための好適な形態について、添付図面を参照にしながら説明する。
【００２０】
図１は、本考案に係る冊子Ａの模式図である。図１では、冊子Ａは、複数のシート１、１を綴じた構成をしており、そのうち、植物の種子２を封入したシート１１のページで開いた状態を模式的に示している。なお、冊子Ａは、植物の種子２を封入したシート１１と何も封入されていないシート（図示せず）との両方を所定枚数ずつ綴じた構成にしてもよいし、植物の種子２を封入したシート１１を複数枚綴じた構成にしてもよい。
【００２１】
前記の通り、冊子Ａは、複数のシート１、１を綴じた構成をしている。綴じ方は特に限定されないが、例えば、ホッチキスで留める、製本用糸で固定する、製本用接着剤を用いる、など既存の製本技術を用いることができる。シート１は、紙など製本できるものを、目的に応じて用いることができる。
【００２２】
植物の種子２を封入したシート１１は、植物の種子２を封入できれば、どのような構成をしていてもよい。例えば、２枚の用紙を重ね合わせたシートや、１枚の用紙を折って重ね合わせたシートを用いることができる。その場合、例えば、シートの周縁を接着して袋とじにすることにより、シート１１の重ね合わせた用紙の間に植物の種子２を封入可能な中空部分（図２中の符号１３参照）を設けることができる。
【００２３】
植物の種子２は、シート１１に封入可能な大きさ・形状・性状のものであれば、特に限定されない。植物の種類としては、例えば、ハーブ類、サルビア、金魚草、ペチュニア、かすみ草、朝顔、カーネーション、ヒマワリなど、シート１１に封入可能な大きさの種子が好ましい。また、シート１１に封入可能な大きさ・形状・性状のものであれば、入浴剤など、植物の種子以外のものを封入してもよい。
【００２４】
植物の種子２をシート１１から取り出す手段は、特に限定されないが、例えば、図１のように、取り出し用の切り取り線３を設け、その部分を切り取って、開口部分（図２中の符号３１を参照）を形成することにより取り出す手段を用いてもよい。切り取り線３の部分でシート１１を切り取ることにより、開口部分から植物の種子２を取り出すことができる。
【００２５】
シート１１には、ポストカード又はアドカード作成用のシート開封線４を設けてもよい。ポストカード又はアドカード作成用のシート開封線４は、予めシート１１上に点線を印刷などしておいてもよいし、ミシン目などを形成しておいてもよい。それにより、適した位置で簡易にシート１１を開封することができるため、シート１１を開封する際に、正しい大きさのポストカード又はアドカードを作成できる。
【００２６】
冊子Ａを構成する各シート１１には、シート１１に封入した植物の花のイラストや写真（符号５）を付してもよい。ポストカード作成用のシート開封線４の枠中に、花のイラストや写真（符号５）を配置することにより、シート開封線４に沿ってシート１１を開封した後、花のイラストや写真を配したポストカード又はアドカード（図２中の符号６参照）を作成できる。
【００２７】
また、冊子Ａを構成する各シート１１には、目的に応じて、様々な図柄を付すことができる。例えば、商品や商品イメージをデザインしたイラストや写真、環境ＰＲに関するイラストや写真、観光ＰＲに関するイラストや写真、入浴剤に係る温泉地の風景のイラストや写真、企業イメージや知名度向上を目的としたイラストや写真、などの図柄を付してもよい。
【００２８】
冊子Ａを構成するシート１のうち、シート開封線４を持たないページ（例えば、符号１２）などに、シート１１の中に種子２を封入した植物に関する情報を記載してもよい。その植物に関する情報としては、例えば、その植物の分類、花言葉、花占い、その植物にまつわるエピソード・伝説・物語、などがある。これらの情報を記載しておくことにより、購買者は、その植物に関する様々な知識・情報を得ることができる。
【００２９】
また、同様に、冊子Ａを構成するシート１のうち、シート開封線４を持たないページ（例えば、符号１２）などに、そのシートの中に種子を封入した植物の播種・育成方法に係わる情報を記載してもよい。植物の播種・育成方法に係わる情報としては、例えば、播種の時期・場所・方法、施肥の時期・方法・好適な肥料の種類や比率、水遣りの量・タイミング、地域・気候の差に基づく注意点、病気や病害虫に関する情報、その植物に特有の作業・注意点などがある。これらの情報を記載しておくことにより、購買者は、その植物の播種方法や育て方を細かく知ることができる。
【００３０】
その他、冊子Ａを構成するシート１のうち、シート開封線４を持たないページ（例えば、符号１２）などに、商品や店舗の広告、イベントなどの告知、観光ＰＲ、企業の環境ＰＲなどを記載してもよい。
【００３１】
複数枚のシート１１、１１のそれぞれに、異なる種類の植物の種子２を封入し、前記シートを綴じて冊子Ａを形成する場合、各シートは、封入した植物のイラスト・写真を付す構成にしてもよい。その場合、購買者は、複数種の種子を同時に取得でき、また、開封後は、各植物の花のイラストや写真を配したポストカードのセットとして用いることができる。
【００３２】
植物の種類の組み合わせは、目的・用途などに応じて適宜選択できる。例えば、ハーブ類、野菜類など、植物の種類に基づいて組み合わせてもよいし、季節の花、その地域に特有の種類の花などを組み合わせてもよい。また、花占い・花言葉・冊子の内容などに基づいて適宜組み合わせてもよい。
【００３３】
図２は、ポストカード又はアドカード作成時における冊子Ａを模式的に示した図である。図２では、植物の種子２の取り出し用切り取り線３に沿ってシート１１を切り取り、形成された開口部分３１から植物の種子２を取り出した（矢印Ｘ参照）後の状態を示している。符号Ａは冊子を、符号１３はシート１１内の、植物の種子２を封入可能な中空部分を、それぞれ示す。
【００３４】
図２に示すとおり、ポストカード又はアドカード６作成用のシート開封線４に沿ってシート１１を開封することにより、ポストカード又はアドカード６を作成することができる。
【００３５】
シート１１の開封後、ポストカード６を作成する場合、ポストカード６の表面６１に切手を貼り付ける部分７や郵便番号を記載する部分８を、予め印刷しておいてもよい。その場合、シート１１の作成時において、予め切手を張る部分７や郵便番号を記載する部分８を所定位置に印刷しておくとよい。また、シート１１の開封後、アドカード６を作成する場合、アドカード６の表面６１に、商品や店舗の広告、イベントなどの告知、観光ＰＲ、企業の環境ＰＲなどを、予め印刷しておいてもよい。
【００３６】
シート１１を開封してポストカード６を作成する場合、ポストカード６の表面６１には、切手を貼り付ける部分７や郵便番号を記載する部分８が、切手をポストカード６の裏面６２には、シート上に付されたイラストや写真（図１中の符号５）が、それぞれ配される。ポストカード６の裏面６２に配されたイラストや写真は、シート１１開封の前に、冊子Ａを構成するシート１１に付されていたものである。
【００３７】
同様に、シート１１を開封してアドカード６を作成する場合、アドカード６の表面６１には、商品や店舗の広告、イベントなどの告知、観光ＰＲ、企業の環境ＰＲなどが、アドカード６の裏面６２には、シート上に付されたイラストや写真（図１中の符号５）などが、それぞれ配される。
【産業上の利用可能性】
【００３８】
本考案に係る冊子は、植物の種子入り冊子（商品）、ノベルティグッズ、販売促進グッズ、などとして利用することができる。
【図面の簡単な説明】
【００３９】
【図１】本考案に係る冊子Ａの模式図。
【図２】ポストカード又はアドカード作成時における冊子Ａを模式的に示した図。
【符号の説明】
【００４０】
１    シート
１１  植物の種子を封入したシート
２    植物の種子
３    植物の種子取り出し用の切り取り線
４    ポストカード作成用のシート開封線
５    花のイラストや写真
６    ポストカード又はアドカード
Ａ    冊子
【図１】
0003106885.tif 000003
【図２】
0003106885.tif 000004
【手続補正書】
【提出日】平成16年8月18日(2004.8.18)
【手続補正１】
【補正対象書類名】実用新案登録請求の範囲
【補正対象項目名】全文
【補正方法】変更
【補正の内容】
【実用新案登録請求の範囲】
【請求項１】
袋とじ構造で中空部分を持つシートと、
前記シートに設けられ、ポストカード又はアドカードの形状に形成された、シート開封部位を表すシート開封線と、
前記中空部分に封入された植物の種子と、
を備える冊子。
【請求項２】
袋とじ構造で中空部分を持つシートと、
前記シートに設けられ、ポストカード又はアドカードの形状に形成され、かつ、前記シートに配された植物の花のイラストや写真を囲む位置に形成された、シート開封部位を表すシート開封線と、
前記中空部分に封入された前記植物の種子と、
を備える冊子。
【請求項３】
袋とじ構造で中空部分を持ち、植物に関連する情報が記載されているシートと、
前記シートに設けられ、ポストカード又はアドカードの形状に形成された、シート開封部位を表すシート開封線と、
前記中空部分に封入された前記植物の種子と、
を備える冊子。
【請求項４】
袋とじ構造で中空部分を持つ複数のシートと、
前記各シートに設けられ、ポストカード又はアドカードの形状に形成された、シート開封部位を表すシート開封線と、
前記各中空部分のそれぞれに種類ごとに封入された複数種の植物の種子と、
を備える冊子。
【請求項５】
袋とじ構造で中空部分を持つシートと、
前記シートに設けられ、ポストカード又はアドカードの形状に形成された、シート開封部位を表すシート開封線と、
前記中空部分に封入された入浴剤と、
を備える冊子。
【請求項６】
袋とじ構造で中空部分を持つシートと、
前記シートに設けられ、ポストカード又はアドカードの形状に形成され、かつ、前記シートに配された商品又は環境ＰＲに関するイラストや写真を囲む位置に形成された、シート開封部位を表すシート開封線と、
前記中空部分に封入された入浴剤と、
を備える冊子。
【手続補正３】
【補正対象書類名】明細書
【補正対象項目名】０００６
【補正方法】変更
【補正の内容】
【０００６】
本考案では、まず、袋とじ構造で中空部分を持つシートと、前記シートに設けられ、ポストカード又はアドカードの形状に形成された、シート開封部位を表すシート開封線と、前記中空部分に封入された植物の種子と、を備える冊子を提供する。
【手続補正４】
【補正対象書類名】明細書
【補正対象項目名】０００７
【補正方法】変更
【補正の内容】
【０００７】
封入された植物の種子は、開封後、播種・育成することができる。同時に、シート開封線に沿って開封することにより、シートに付されていた図柄を配したポストカード又はアドカードを作成できる。
【手続補正５】
【補正対象書類名】明細書
【補正対象項目名】００１１
【補正方法】変更
【補正の内容】
【００１１】
上記に加えて、本考案に係る冊子を、袋とじ構造で中空部分を持つ複数のシートと、前記各シートに設けられ、ポストカード又はアドカードの形状に形成された、シート開封部位を表すシート開封線と、前記各中空部分のそれぞれに種類ごとに封入された複数種の植物の種子と、を備える構成にしてもよい。
【手続補正６】
【補正対象書類名】明細書
【補正対象項目名】００１３
【補正方法】変更
【補正の内容】
【００１３】
次に、本考案では、袋とじ構造で中空部分を持つシートと、前記シートに設けられ、ポストカード又はアドカードの形状に形成された、シート開封部位を表すシート開封線と、前記中空部分に封入された入浴剤と、を備える冊子を提供する。
【手続補正７】
【補正対象書類名】明細書
【補正対象項目名】００１４
【補正方法】変更
【補正の内容】
【００１４】
この場合も前記と同様に、シートを開封して入浴剤を取り出すことができ、同時に、シート開封線に沿って開封することにより、シートに付されていた図柄を配したポストカード又はアドカードを作成できる。